(57)【要約】  無線エンドポイントは、基地局（ＢＳ）または顧客宅内機器（ＣＰＥ）などの地域無線ネットワーク（ＷＲＡＮ）エンドポイントである。ＷＲＡＮエンドポイントは、使用のためにどのチャンネルが利用可能かどうか判定するためのチャンネルセンシングを行い、利用可能なチャンネル上で送信を開始する。隣接するチャンネル上でのＴＶ放送の検出時に、ＷＲＡＮエンドポイントはその送信される信号の電力レベルを調整する。
2009515481.tif 000002
【特許請求の範囲】
【請求項１】
無線エンドポイントで使用する方法であって、
チャンネルで信号を送信するステップと、
隣接するチャンネルに信号があるかどうか判定するステップと、
隣接するチャンネルに信号があると判定された場合、前記送信される信号の電力レベルを調整するステップと
を備えたことを特徴とする方法。
【請求項２】
前記判定するステップは、隣接するチャンネルに信号があるかどうか判定するために、利用可能なチャンネルのリストをチェックするステップを含むことを特徴とする請求項１に記載の方法。
【請求項３】
前記判定するステップは、隣接するチャンネルに信号があるかどうか判定するために、隣接するチャンネルでチャンネルセンシングを行うステップを含むことを特徴とする請求項１に記載の方法。
【請求項４】
前記隣接するチャンネルにあると判定された信号は、広帯域信号であることを特徴とする請求項１に記載の方法。
【請求項５】
前記広帯域信号は、ＡＴＳＣ（アドバンストテレビジョンシステム委員会）デジタルテレビジョン（ＤＴＶ）信号であることを特徴とする請求項１に記載の方法。
【請求項６】
無線エンドポイントは、地域無線ネットワーク（ＷＲＡＮ）の一部分であることを特徴とする請求項１に記載の方法。
【請求項７】
無線エンドポイントで使用する機器であって、
送信チャンネル内の直交周波数分割多重（ＯＦＤＭ）で信号を送信するための変調器と、
前記送信チャンネルに隣接するチャンネルに信号がある否かを判定する機能として、前記変調器の電力レベルを制御するプロセッサと
を備えたことを特徴とする機器。
【請求項８】
利用可能なチャンネルのリストを格納するメモリをさらに備え、
前記プロセッサは、信号が隣接するチャンネルにあるかどうか判定するために、前記格納された利用可能なチャンネルのリストをチェックすることを特徴とする請求項７に記載の機器。
【請求項９】
複数のチャンネルのうちの１つにチューニングするチューナと、
前記チューナに結合され、隣接するチャンネルに信号があるかどうかを判定する信号検出器と
をさらに備えたことを特徴とする請求項７に記載の機器。
【請求項１０】
前記隣接するチャンネルにあると判定された信号は、広帯域信号であることを特徴とする請求項７に記載の機器。
【請求項１１】
前記広帯域信号は、ＡＴＳＣ（アドバンストテレビジョンシステム委員会）デジタルテレビジョン（ＤＴＶ）信号であることを特徴とする請求項１０に記載の機器。
【請求項１２】
前記無線エンドポイントは、地域無線ネットワーク（ＷＲＡＮ）の一部分であることを特徴とする請求項７に記載の機器。
【発明の詳細な説明】
【技術分野】
【０００１】
本発明は、一般に、通信システムに関し、より詳細には、無線システム、例えば、地上放送、セルラ、ワイヤレスフィデリティ（Ｗｉ−Ｆｉ）、衛星などに関する。
【背景技術】
【０００２】
地域無線ネットワーク（ＷＲＡＮ）システムは、ＩＥＥＥ８０２．２２標準規格グループで研究されている。ＷＲＡＮシステムは、主に都市および郊外地域にサービスを提供するブロードバンドアクセスと同様の性能で、地方の遠隔地域および低人口密度のサービス提供が不十分な地域に対処するため、干渉を避け、テレビジョン（ＴＶ）用周波数帯の使用されていないＴＶ放送チャンネルを利用することを意図するものである。さらに、ＷＲＡＮシステムはまた、人口密度はより高いが、この周波数帯が利用可能な地域にサービスを提供するように拡張することができる可能性がある。
【０００３】
【特許文献１】米国特許第６２３３２９５号明細書
【非特許文献１】Recommended Practice: Guide to the Use of the ATSC Digital Television Standard (A/54)
【非特許文献２】United States Advanced Television Systems Committee, "Guide to the Use of the ATSC Digital Television Standard", Document A/54, October 04, 1995
【非特許文献３】IEEE 802.16-2004, "IEEE Standard for Local and metropolitan area networks, Part 16: Air Interface for Fixed Broadband Wireless Access Systems"
【発明の開示】
【発明が解決しようとする課題】
【０００４】
上記のように、ＷＲＡＮは、ＴＶ放送などの既存の主な信号帯に干渉しないことが必要である。したがって、ＷＲＡＮエンドポイントは、既存のＴＶ信号が存在しないチャンネルを使用する。しかし、チャンネルにＴＶ信号がなくても、ＴＶ信号は隣接するチャンネルに存在する可能性がある。したがって、ＷＲＡＮエンドポイントからの送信信号は、さらに、非線形効果（例えば混変調積）により隣接するＴＶ信号に干渉する可能性がある。ここでは、無線エンドポイントは、隣接するチャンネル上のＴＶ放送に干渉するのを回避するために送信電力制御（ＴＰＣ）を行う。特に、本発明の原理にしたがって、無線エンドポイントは、チャンネル上で信号を送信するが、隣接するチャンネル上で信号を検出すると、送信される信号の電力レベルを調整する。
【課題を解決するための手段】
【０００５】
本発明の例示的な実施形態において、無線エンドポイントとは、基地局（ＢＳ）または顧客宅内機器（ＣＰＥ）などの地域無線ネットワーク（ＷＲＡＮ）エンドポイントのことである。ＷＲＡＮエンドポイントは、どのチャンネルが使用のために利用可能か判定するためにチャンネルセンシングを行い、利用可能なチャンネルで送信を開始する。隣接するチャンネルでＴＶ放送を検出すると、ＷＲＡＮエンドポイントはその送信される信号の電力レベルを調整する。
【０００６】
上記を考慮して、かつ詳細な説明を読むことから明らかになるように、他の実施形態および特徴も可能であり本発明の原理の範囲に入る。
【発明を実施するための最良の形態】
【０００７】
本発明の概念以外に、図に示されている要素はよく既知のので詳細には説明しない。さらに、ＴＶ放送、受信機、ネットワーキングおよびビデオエンコーディングについてはよく既知のと考えられるので、ここでは詳細には説明しない。例えば、本発明の概念以外に、ＡＴＳＣ（アドバンストテレビジョンシステム委員会）（ＡＴＳＣ）などのＴＶ規格ならびにＩＥＥＥ８０２．１６、ＩＥＥＥ８０２．１１ｈなどのネットワーキングのための現在のおよび提案されている推奨事項に関してはよく既知のと考え説明しない。ＡＴＳＣ放送信号についてのさらなる情報は、以下のＡＴＳＣ規格に記載されている。デジタルテレビジョン規格（Ａ／５３）、修正１および正誤表１を含む改定Ｃ、Ｄｏｃ．Ａ／５３Ｃ、ならびに非特許文献１。同様に、本発明の概念以外に、８レベル残留側波帯（８‐ＶＳＢ）、直交振幅変調（ＱＡＭ）、直交周波数分割多重（ＯＦＤＭ）または直交周波数分割多重接続（ＯＦＤＭＡ）などの送信概念、および無線周波数（ＲＦ）フロントエンドなどの受信機構成要素、あるいは低雑音ブロック、チューナ、および変調器などの受信機セクション、相関器、リーク積分器、および平方器を参照する。同様に、本発明の概念以外に、トランスポートビットストリームを生成するための（動画エキスパートグループ（ＭＰＥＧ）−２システム規格（ＩＳＯ／ＩＥＣ１３８１８−１）などの）フォーマッティング方法およびエンコーディング方法はよく既知のので、ここでは説明しない。本発明の概念は、従来のプログラミング技法を使用して実施することができることにも留意するべきであるが、従来のプログラミング技法自体はここでは説明しない。最後に、図中の同様の符号は同様の要素を表す。
【０００８】
本技術分野で既知の米国のＴＶ周波数帯を、ＶＨＦ（Ｖｅｒｙ  Ｈｉｇｈ  Ｆｒｅｑｕｅｎｃｙ）帯域およびＵＨＦ（Ｕｌｔｒａ  Ｈｉｇｈ  Ｆｒｅｑｕｅｎｃｙ）帯域のＴＶチャンネルの表である図１の表１に示す。各ＴＶチャンネルでは、対応する割当周波数帯域の下端が示されている。例えば、ＴＶチャンネル２は５４ＭＨｚ（数百万ヘルツ）から始まり、ＴＶチャンネル３７は６０８ＭＨｚから始まり、ＴＶチャンネル６８は７９４ＭＨｚから始まる。本技術分野で既知のように、各ＴＶチャンネル、または帯域は、６ＭＨｚの帯域幅をもつ。したがって、ＴＶチャンネル２は５４ＭＨｚから６０ＭＨｚの周波数帯（または範囲）をカバーし、ＴＶチャンネル３７は６０８ＭＨｚから６１４ＭＨｚまでの帯域をカバーし、ＴＶチャンネル６８は７９４ＭＨｚから８００ＭＨｚまでの帯域をカバーするなどとなる。前述したように、ＷＲＡＮシステムは、ＴＶ周波数帯における使用されていないテレビジョン（ＴＶ）放送チャンネルを利用する。ここで、ＷＲＡＮシステムは、ＷＲＡＮシステムのために実際に利用可能なＴＶ周波数帯の部分を判定するため、ＷＲＡＮエリアでこれらのＴＶチャンネルのうちのどれが実際にアクティブ（または「使用済み」）であるか判定するために「チャンネルセンシング」を行う。
【０００９】
図１に示すＴＶ周波数帯のほかに、特定のチャンネルにおける特定のＡＴＳＣ  ＤＴＶ信号はまた、ＮＴＳＣ信号、さらには、ＡＴＳＣ信号とともに配置された（すなわち、同じチャンネルにおける）、またはＡＴＳＣ信号に隣接する（例えば、すぐ下のチャンネル、またはすぐ上のチャンネルにある）他のＡＴＳＣ信号から影響を受ける。これは、様々な干渉条件により影響を受けるＡＴＳＣパイロット信号と同様に、図２の表２に例示する。例えば、表２の第１行７１は、別のＮＴＳＣまたはＡＴＳＣ信号からの、ともに配置されたまたは隣接する干渉がある場合、ＡＴＳＣパイロット信号のＨｚ単位の下端オフセットを示す。これは、前述のＡＴＳＣ規格で規定されたＡＴＳＣパイロット信号に対応する、すなわちパイロット信号は特定のチャンネルの下端の上の３０９．４４０５９ＫＨｚ（数千ヘルツ）で生じる（図１の表１は、各チャンネルのＭＨｚ単位の下端値を示す）。しかし、表２の７２と表示された行を参照すると、ともに配置されたＮＴＳＣ信号がある場合、ＡＴＳＣパイロット信号の下端オフセットが示されている。そのような状況では、ＡＴＳＣ受信機は、下端の上の３３８．０６５ＫＨｚであるＡＴＳＣパイロット信号を受信する。ＮＴＳＣ放送およびＡＴＳＣ放送の文脈では、表２から可能なオフセットの総数は１４であることがわかる。しかし、ＮＴＳＣ送信が中断された後は、可能なオフセットの総数は、図３の表３に例示する、許容差が１０Ｈｚの２つに減少する。
【００１０】
いずれのチャンネルセンシングも正確であることが重要であることから、受信機のタイミング基準か搬送波周波数基準のどちらかの正確さを上げることにより、信号検出技法またはチャンネルセンシング技法の性能を（これらの技法がコヒーレントであろうと非コヒーレントであろうと）向上させることができることが確認された。特に、受信機は、いくつかのチャンネルのうちの１つにチューニングし、受信された放送信号の関数として較正されるチューナ、およびチューナに結合し、放送信号がチャンネルのうちの少なくとも１つに存在するかどうかを検出する放送信号検出器を備える。そのような受信機の例示的な実施形態は、参照として既存のＡＴＳＣチャンネルを使用するものとして説明する。しかし、本発明の概念は、そのように限定されない。
【００１１】
本発明の原理を組み込んだ例示的な地域無線ネットワーク（ＷＲＡＮ）システム２００を図４に示す。ＷＲＡＮシステム２００は、一定の地理的エリア（ＷＲＡＮエリア）（図４には示さず）にサービスを提供する。一般に、ＷＲＡＮシステムは、１つまたは複数の顧客宅内機器（ＣＰＥ）２５０と通信する少なくとも１つの基地局（ＢＳ）２０５を備える。顧客宅内機器は固定でもよい。ＣＰＥ２５０は、プロセッサを備えたシステムであり、図４に破線のボックスの形で示すプロセッサ２９０およびメモリ２９５によって表される１つまたは複数のプロセッサおよび関連メモリを備える。このようなシステムでは、コンピュータプログラムまたはソフトウェアは、プロセッサ２９０による実行のためにメモリ２９５に格納される。プロセッサ２９０は、１つまたは複数の内蔵プログラム制御プロセッサを示しており、これらは、送信機機能専用でなくてもよく、例えばプロセッサ２９０はＣＰＥ２５０の他の機能を制御してもよい。メモリ２９５は、任意の記憶装置、例えばランダムアクセスメモリ（ＲＡＭ）、読出し専用メモリ（ＲＯＭ）などを示しており、ＣＰＥ２５０に内蔵および／または外付けでもよく、必要に応じて揮発性および／または非揮発性でもよい。アンテナ２１０および２５５を介してＢＳ２０５とＣＰＥ２５０との間で通信を制御する物理層（ＰＨＹ）は、例としてトランシーバ２８５を介したＯＦＤＭによる、例えばＯＦＤＭＡであり、矢印２１１によって表示する。ＷＲＡＮネットワークに入るため、ＣＰＥ２５０はまずＢＳ２１０と「結合」してもよい。この結合の間に、ＣＰＥ２５０は、制御チャンネル（図示せず）を介してＢＳ２０５にＣＰＥ２５０の機能に基づいてトランシーバ２８５を介して情報を送信する。機能の報告には、例えば最小および最大送信電力、および送受信のため用意されたチャンネルリストが含まれる。ここで、ＣＰＥ２５０は、ＷＲＡＮエリアでどのＴＶチャンネルがアクティブでないか判定するために本発明の原理による「チャンネルセンシング」を行う。その結果、ＷＲＡＮ通信で使用することができるチャンネルのリストが、ＢＳ２０５に提供される。
【００１２】
ＣＰＥ２５０での使用のための受信機３００の例示的な部分を図５に示す。受信機３００の、本発明の原理に関連する部分だけが示されている。受信機３００は、チューナ３０５、搬送波トラッキングループ（ＣＴＬ）３１５、ＡＴＳＣ信号検出器３２０、およびコントローラ３２５を備える。コントローラ３２５は、１つまたは複数の内蔵プログラム制御プロセッサ、例えばマイクロプロセッサ（プロセッサ２９０など）を示しており、これらは本発明に専用でなくてもよく、例えばコントローラ３２５は受信機３００の他の機能を制御してもよい。さらに、受信機３００は、メモリ（メモリ２９５など）、例えばランダムアクセスメモリ（ＲＡＭ）、読出し専用メモリ（ＲＯＭ）などを備え、それらは、コントローラ３２５の一部分でも、またはそれとは別個とすることもできる。簡単のために、図５には、自動利得制御コンポーネント（ＡＧＣ）、デジタルでの処理の場合はアナログデジタルコンバータ（ＡＤＣ）、および追加のフィルタリングなど、いくつかのコンポーネントは示していない。本発明にかかわらず、これらのコンポーネントは当業者には容易に理解できるであろう。ここで、ここに記載されている諸実施形態は、アナログの世界でも、デジタルの世界でも実施することができる。さらに、これらの処理には、必要に応じて複素信号パスを必要とする可能性があることも当業者は理解するであろう。
【００１３】
本発明の原理を説明する前に、受信機３００の一般的な動作は以下の通りである。（例えば、図４のアンテナ２５５を介して受信される）入力信号３０４を、チューナ３０５に入力する（ａｐｐｌｙ）。入力信号３０４は、前述の「ＡＴＳＣデジタルテレビジョン規格」に準拠し、図１の表１に示されているチャンネルのうちの１つで送信されるデジタルＶＳＢ変調信号を表す。チューナ３０５は、特定のＴＶチャンネルを選択し、特定のＩＦ（中間周波数）を中心にして下方変換された信号３０６を供給するため、双方向信号パス３２６を介してコントローラ３２５により全チャンネルのうちの異なるチャンネルにチューニングされる。信号３０６は、（送信機の局部発振器（ＬＯ）と、受信機のＬＯとの間などの）いかなる周波数オフセットをも除去するため、および受信されたＡＴＳＣ  ＶＳＢ信号を中間周波数（ＩＦ）またはベースバンドの近くの周波数からベースバンドに復調するための両方のため、信号３０６を処理するＣＴＬ３１５に適用される（例えば、非特許文献２、およびＷａｎｇの２００１年５月１５日発行の特許文献１、名称「Ｓｅｇｍｅｎｔ  Ｓｙｎｃ  Ｒｅｃｏｖｅｒｙ  Ｎｅｔｗｏｒｋ  ｆｏｒ  ａｎ  ＨＤＴＶ  Ｒｅｃｅｉｖｅｒ」参照）。ＣＴＬ３１５は信号３１６を、信号３１６がＡＴＳＣ信号かどうか判定するため、（以下でさらに説明する）信号３１６を処理するＡＴＳＣ信号検出器３２０に供給する。ＡＴＳＣ信号検出器３２０は、結果の情報を、パス３２１を介して、コントローラ３２５に提供する。
【００１４】
次に、図６を参照すると、本発明の原理による受信機３００で使用する例示的なフローチャートが示されている。特に、正確な搬送波およびタイミングオフセット情報を有することによって、使用可能な信号を復調するのに必要なレベルよりも低い信号レベルのＶＨＦおよびＵＨＦ  ＴＶ帯域内のＡＴＳＣ  ＤＴＶ信号が使用中か否かを検出することが容易になる。例として、ＤＴＶチャンネル自体の安定性および既知の（ｋｎｏｗｎ）周波数割当がこの情報を提供するために使用される。上記のＡＴＳＣ  Ａ／５４Ａ  ＡＴＳＣ  Ｒｅｃｏｍｍｅｎｄｅｄ  Ｐｒａｃｔｉｃｅに詳述されているように、搬送波周波数は、少なくとも１ＫＨｚ（数千ヘルツ）以内にあるように指定され、より厳しい許容差が推奨されている。ここで、ステップ２６０でコントローラ３２５は、まず容易に識別可能な使用中のＡＴＳＣ信号があるか判定するため、図１の表１に例示されているような、既知のＴＶチャンネルをスキャンする。特に、コントローラ３２５は、各ＴＶチャンネルを選択するためにチューナ３０５を制御する。結果得られた信号は（あれば）、（以下でさらに説明する）ＡＴＳＣ信号検出器３２０によって処理され、その結果がパス３２１を介してコントローラ３２５に提供される。好ましくは、コントローラ３２５は、ＷＲＡＮエリアで現在放送している最も強いＡＴＳＣ信号を探す。しかし、コントローラ３２５は、最初に検出されたＡＴＳＣ信号で停止してもよい。
【００１５】
図７を簡単に参照すると、チューナ３０５の例示的なブロック図が示されている。チューナ３０５は、増幅器３５５、乗算器３６０、フィルタ３６５、ｎ除算（ｄｉｖｉｄｅ−ｂｙ−ｎ）コンポーネント３７０、電圧制御発振器（ＶＣＯ）３８５、位相検出器３７５、ループフィルタ３９０、ｍ除算コンポーネント３８０、および局部発振器（ＬＯ）３９５を備える。本発明にかかわらず、チューナ３０５のコンポーネントはよく知られているので、ここではさらには説明しない。一般に、ＬＯ３９５およびＶＣＯ３８５によって供給される信号間で以下の関係が維持される。
【００１６】
【数１】
2009515481.tif 000003
【００１７】
式中、ＦrefはＬＯ３９５によって提供された基準周波数であり、ＦvcoはＶＣＯ３８５によって提供される周波数であり、ｎは、ｎ除算コンポーネント３７０によって表される除数の値であり、ｍはｍ除算コンポーネント３８０によって表される除数の値である。等式（１）は、
【００１８】
【数２】
2009515481.tif 000004
【００１９】
と書き直すことができる。等式（２）から、Ｆvcoは、パス３２６を介してコントローラ３２５（図６のステップ２６０）によって設定される適切なｎの値によって様々なＡＴＳＣ  ＤＴＶ帯域に設定することができることがわかる。しかし、上記のように、受信機３００は、いかなる周波数オフセットＦoffsetをも除去するＣＴＬ３１５を備える。重要な２つの周波数オフセットがある。１つは、ＬＯ３９５と送信機周波数基準との間の周波数の違いによって生じるエラーである。もう１つは、ＬＯ３９５によって提供される実際の周波数Ｆrefは局部発振器の所与の許容差以内でおおよそ知られることから、Ｆstepのために使用される値によって生じるエラーである。したがって、Ｆoffsetは、選択されたチャンネルに対するｎＦstepの値からのエラーと、局部周波数基準および送信機周波数基準における周波数の違いによって生じるエラーの両方を含む。
【００２０】
次に図８を参照すると、ＣＴＬ３１５の例示的なブロック図を示す。ＣＴＬ３１５は、乗算器４０５、位相検出器４１０、ループフィルタ４１５、数値制御発振器（ＮＣＯ）４２０、およびＳｉｎ／Ｃｏｓ表４２５を備える。本発明にかかわらず、ＣＴＬ３１５の構成はよく知られているので、ここではさらには説明しない。ＮＣＯ４２０は本技術分野で知られているようにＦoffsetを決定し、これらの周波数オフセットはＳｉｎ／Ｃｏｓ表４２５および乗算器４０５を介して受信した信号から除去される。
【００２１】
図６のステップ２７０を続けて、使用中のＡＴＳＣ信号を見つけた後は、コントローラ３２５は、検出されたＡＴＳＣ信号から少なくとも１つの関係周波数（タイミング）特性を決定することにより受信機３００を較正する。特に、図５の受信機３００の一般的動作は以下の等式によって表すことができる。
【００２２】
【数３】
2009515481.tif 000005
【００２３】
式中、Ｆcは、ＡＴＳＣ信号のパイロット信号の周波数を表す。等式（３）内のＦoffsetの値は、コントローラ３２５が双方向パス３２７を介してＮＣＯ内の関連するデータに単にアクセスすることにより決定する。しかし、ｎの値は選択されたＡＴＳＣチャンネルのためにコントローラ３２５によってすでに決定されたが、実際のＦstepの値は知られていない。しかし、等式（３）は、
【００２４】
【数４】
2009515481.tif 000006
【００２５】
と書き直すことができる。このソリューションは、簡単なように見えるが、Ｆcの値は、図１の表１によって示唆されているように独自には決定されないことを思い出す必要がある。むしろ、検出されたＡＴＳＣ  ＤＴＶ信号は、図２の表２および図３の表３に示すように、他のＮＴＳＣまたはＡＴＳＣ信号の影響を受ける可能性がある。ＷＲＡＮ領域にＮＴＳＣおよびＡＴＳＣ送信がある場合、図２の表２に示すように１４の可能なオフセットを考慮しなければならない。しかし、ＷＲＡＮ領域にＮＴＳＣ送信がない場合、図３の表３に示すように２つのオフセットだけを考慮しなければならない。簡単のために、ＮＴＳＣ送信はなく、表３だけがこの実施例のために使用されると仮定される。
【００２６】
したがって、コントローラ３２５は、（例えば、上記のメモリに格納された）表１および表３の値を使用してＦstepの様々な値を決定するために２つの計算、
【００２７】
【数５】
2009515481.tif 000007
【００２８】
を行う。式中、
【００２９】
【数６】
2009515481.tif 000008
【００３０】
は、選択されたＡＴＳＣチャンネルのための表１からの低帯域端、足す表３の第１行からの低帯域端オフセットを示しており、
【００３１】
【数７】
2009515481.tif 000009
【００３２】
は、選択されたＡＴＳＣチャンネルの表１からの低帯域端、足す表３の第２行からの低帯域端オフセットを表す。結果として、コントローラ３２５は、受信機３００での使用のためのＦstepの２つの可能な値を決定する。したがって、ステップ２７０で、コントローラ３２５は送信機３００の較正で使用するためのチューニングパラメータを決定する。
【００３３】
最後に、ステップ２７５では、コントローラ３２５を使用していないので、ＷＲＡＮ通信をサポートするために利用可能である１つまたは複数のＴＶチャンネルを含む利用可能なチャンネルのリストを決定するためＴＶ周波数帯がスキャンされる。コントローラ３２５によって（例えば、表１のリストから）選択された各チャンネルに関しては、式（３）、（４）、（４ａ）および（４ｂ）に関する観察がさらに行われる。言い換えると、選択された各チャンネルに関しては、表３に示されているオフセットを考慮しなければならない。表３に示す２つのオフセットがあり、ステップ２７０で決定されたＦstepの２つの可能な値（式（４ａ）および（４ｂ））があるので、４つのスキャンを行わる（表２に記載されているオフセットが使用されれば、１４2スキャンまたは１９６スキャンとなるであろう）。例えば、第１のスキャンでは、コントローラ３２５が、パス３２６を介して、各ＡＴＳＣチャンネルのためにｎの様々な値をチューナ３０５に設定する。コントローラ３２５は、
【００３４】
【数８】
2009515481.tif 000010
【００３５】
からｎおよびＦoffsetの値を決定する。式中、Ｆstepの値は、
【００３６】
【数９】
2009515481.tif 000011
【００３７】
の決定された値に等しく、Ｆcの値は、選択されたＡＴＳＣチャンネルのための表１からの低帯域端、足す表３の第１行からの低帯域端オフセットに等しい（式（５）内の「床」関数の代わりに、「天井」関数を使用することができることにも留意すべきである）。しかし、第２のスキャンでは、Ｆstepの値は、
【００３８】
【数１０】
2009515481.tif 000012
【００３９】
の決定された値にそれでもなお等しいが、Ｆcの値は、今度は選択されたＡＴＳＣチャンネルのための表１からの低帯域端、足す表３の第２行からの低帯域端オフセットに等しくなるように変えられている。第３スキャンおよび第４スキャンは、Ｆstepが今度は、
【００４０】
【数１１】
2009515481.tif 000013
【００４１】
の決定された値に等しく設定されること以外は同様である。これらの各スキャン中、チューナ３０５は選択されたチャンネルを提供するようにチューニングされるので、ＡＴＳＣ検出器３２０は、ＡＴＳＣ信号が現在選択されているチャンネル上に使用中のかどうか判定するために受信した信号を処理する。ＡＴＳＣ信号の存在に関するデータまたは情報は、パス３２１を介してコントローラ３２５に提供される。この情報から、コントローラ３２５は利用可能なチャンネルリストを構築する。したがって、本発明の原理にしたがって、低ＳＮＲ  ＡＴＳＣ  ＤＴＶ信号の検出を向上するため、ＤＴＶチャンネル自体の安定および既知の周波数割当が受信機３００を較正するために使用される。したがって、ステップ２７５で、受信機３００は、ステップ２７０で決定された正確な周波数情報（Ｆoffset、およびＦstepの様々な値）のおかげで、非常に低いＳＮＲ環境でも存在する可能性があるＡＴＳＣ信号があるか否かを探索することができる。目標感度は、−１１６ｄＢｍ（１ミリワットの電力レベルに対するデシベル）の信号強度のＡＴＳＣ信号を検出することである。これは、可視性の閾値（ＴｏＶ）より３０ｄＢ（デシベル）下より高い。局部発振器のドリフト特性に応じて、定期的に再較正することが必要であることに留意すべきである。前述の方法のさらなる変形の実施形態も実施することができることにも留意すべきである。例えば、ステップ２６０で検出されたＡＴＳＣ信号は、ステップ２７５で行われるスキャンから除外することができる。さらに、いかなる再較正も、再度ステップ２６０を実行することなく、ステップ２６０から識別されたＡＴＳＣ信号にチューニングすることにより直接行うことができる。さらに、ステップ２７５でＡＴＳＣ信号が検出された後、関連する帯域は、次に続くいかなるスキャンからも除外することができる。
【００４２】
上記のように、受信機３００は、ＡＴＳＣ信号検出器３２０を備える。ＡＴＳＣ信号検出器３２０の一実施例は、ＡＴＳＣ  ＤＴＶ信号のフォーマットを利用する。ＤＴＶデータは８−ＶＳＢ（残留側波帯）を使用して変調される。特に、低ＳＮＲ環境で動作する受信機では、ＡＴＳＣ  ＤＴＶ信号の中に埋め込まれたセグメント同期シンボルおよびフィールド同期シンボルが、ＡＴＳＣ  ＤＴＶ信号の存在を正確に検出する確率を上げるために受信機によって利用され、それによって誤警報確率を下げる。ＡＴＳＣ  ＤＴＶ信号では、８−レベルデジタルデータストリームのほかに、２−レベル（バイナリ）４−シンボルデータセグメント同期が各データセグメントの初めに挿入される。ＡＴＳＣデータセグメントは図９に示す。ＡＴＳＣデータセグメントは、８３２シンボル、すなわちデータセグメント同期のための４シンボルおよび８２８データシンボルからなる。データセグメント同期パターンは、図９からわかるようにバイナリ１００１パターンである。複数のデータセグメント（３１３セグメント）は、合計２６０，４１６シンボル（８３２×３１３）を含むＡＴＳＣデータフィールドを含む。データフィールド内のフィールドデータセグメントは、フィールド同期セグメントと呼ばれる。フィールド同期セグメントの構造は、図１０に示されており、各シンボルはデータの１ビット（２レベル）を表す。フィールド同期セグメントでは、５１１ビット（ＰＮ５１１）の擬似ランダムシーケンスがデータセグメント同期のすぐ後に置かれる。ＰＮ５１１シーケンスの後に、ともに連結された３個の６３ビットの同一の擬似ランダムシーケンス（ＰＮ６３）があり、第２のＰＮ６３シーケンスは、データフィールド１つおきに反転される。
【００４３】
上記を考慮して、ＡＴＳＣ信号検出器３２０の一実施形態を図１１に示す。この実施形態においては、ＡＴＳＣ信号検出器３２０は、ＰＮ５１１の存在を識別するために上記ＰＮ５１１シーケンスにマッチするマッチドフィルタ５０５を備える。他の変形の実施形態を図１２に示す。この図では、マッチドフィルタからの出力は、突出したピークが存在するかどうか判定するために複数回累算される。これは、検出確率を上げ、誤警報確率を下げる。図１２の実施形態の欠点は、大きなメモリが必要なことである。他の手法を図１３に示す。この手法では、ピーク値が、１つのデータフィールドの中のその位置（５１０、５１５）と共に検出される（５２０）。リセット信号はまた、結果をＲＡＭ５２５の様々なロケーションに格納するために、アドレスカウンタを増分する（すなわち、「アドレスをバンプする」）ことに留意すべきである。したがって、その結果は、複数のデータフィールドのためにＲＡＭ５２５に格納される。ピークの位置がデータフィールドの一定の部分について同じである場合、そのＤＴＶチャンネルでＤＴＶ信号が使用中と判定される。
【００４４】
ＡＴＳＣ  ＤＴＶ信号の存在を検出するための他の方法として、データセグメント同期を使用する方法が挙げられる。データセグメント同期は、データセグメントごとに繰り返すので、通常はタイミング回復のために使用される。このタイミング回復方法は、上記の非特許文献１で概説されている。しかし、データセグメント同期は、タイミング回復回路を使用してＤＴＶ信号の存在を検出するために使用することもできる。タイミング回復回路がタイミングロックを示す場合、それによりＤＴＶ信号の存在が確実に保証される。この方法は、クロックオフセットがタイミング回復回路のプルインレンジ内にある限り、初期局部シンボルクロックが送信機シンボルクロックの近くになくても有効である。しかし、有用なレンジは０ｄＢ  ＳＮＲまでであったので、上記の−１１６ｄＢｍの検出目標に達するためには追加の１５ｄＢの改善が必要であることに留意すべきである。
【００４５】
ＡＴＳＣ信号を検出するために使用されることができる他の手法としては、利用されるタイミング回復機構と関係なくセグメント同期を処理する方法が考えられる。これは、図１４に示すように、リーク積分器を含む無限インパルス応答（ＩＩＲ）フィルタ５５０を使用するコヒーレントセグメント同期検出器を例示する（この場合、シンボルαは予め定義された定数である）。ＩＩＲフィルタを使用することによって、１つのセグメントの反復期間で生じる補強情報により検出するためタイミングピークが構築される。この場合、搬送波オフセットおよびタイミングオフセットは小さいと仮定している。
【００４６】
ＡＴＳＣ信号を検出するための上記のコヒーレントな方法以外に、非コヒーレントな手法を使用することができ、パイロット搬送波の使用によるベースバンドへの下方変換は必要とされない。これは、パイロットの強靭な抽出は低ＳＮＲ環境では問題が多い可能性があるので有利である。１つの例示的な非コヒーレントセグメント同期検出器を、遅延線構造を例示する図１５に示す。入力信号は、それ自体の遅延、共役と掛け合わされる（５７０、５７５）。その結果は、データセグメント同期にマッチするためのフィルタ（データセグメント同期マッチドフィルタ５８０）に入力される。共役は、いかなる搬送波オフセットもマッチドフィルタから生じる振幅に影響を与えないことを保証する。またはこれに代えて、「積分およびダンプ」手法を用いることができる。マッチドフィルタ５８０に続いて、信号の大きさ（５８５）が引かれる（または、より容易には、Ｉ2＋Ｑ2として２乗された大きさが引かれる。ただし、ＩおよびＱは、それぞれマッチドフィルタからの信号の同相成分および直交成分である）。この大きさの値（５８６）は、ＤＴＶ信号の存在を示す突出したピークが存在するかどうか見るために直接調べることができる。またはこれに代えて、図１５に示すように、信号５８６は、複数のセグメントに関する推定の強靭性を改善するためにＩＩＲフィルタ５５０で処理することによりさらに改善することができる。代替の実施形態を図１６に示す。この実施形態においては、積分（５８０）がコヒーレントに（すなわち、位相情報を保持して）行われ、その後、信号の大きさ（５８５）が引かれる。
【００４７】
ベースバンドで実施する前述の実施形態と同様に、他の非コヒーレントの実施形態は、フィールド同期の中にある長い方のＰＮ５１１シーケンスを利用してもよい。しかし、周波数オフセットに対応するために、いくつかの変更を行わなければならない可能性があることに留意すべきである。例えば、ＰＮ５１１シーケンスをＡＴＳＣ信号のインジケータとして使用する場合は、その存在を検出するために同時に使用するいくつかのコリレータがあってもよい。周波数オフセットが、搬送波がＰＮ５１１シーケンス中に１つの完全なサイクルまたは回転を経験するようなものである場合を考察する。そのような場合、入力信号と基準ＰＮ５１１シーケンスとの間のマッチドコリレータ出力は、合計ゼロになるであろう。しかし、ＰＮ５１１シーケンスがＮ部分に分割された場合、各部分は、搬送波は各部分中に１／Ｎサイクルだけ回転するだけであろうから、かなりのエネルギを有するであろう。したがって、非コヒーレントコリレータ手法は、長いコリレータをより小さいシーケンスに分割し、図１７に示すように、非コヒーレントコリレータを有する各サブシーケンスにアプローチすることにより利用されることができるてんで有利である。この図では、相関されるべきシーケンスは、０からＮ−１までの番号をつけられたＮサブシーケンスに分割される。入力データは、コリレータ出力を使用可能な非コヒーレントな組み合わせを生成するために組み合わせる（５９０）ように遅延を付与される。
【００４８】
ＡＴＳＣ信号検出器の他の例示的な実施形態を図１８に示す。ＡＴＳＣ信号検出器の複雑さを低減するために、図１８のＡＴＳＣ信号検出器は、ＰＮ６３シーケンスにマッチするマッチドフィルタ（７１０）を使用する。マッチドフィルタ７１０からの出力信号は遅延線７１５に適用される。図１８の実施形態においては、コヒーレントを組み合わせる手法を使用する。中央のＰＮ６３はデータフィールド同期１つおきに変換されるので、２つの出力ｙ１およびｙ２が、これらの２つのデータフィールド同期の場合に対応する加算器７２０および７２５によって生成される。図１８からわかるように、出力ｙ１のための処理パスは、加算器７２０による結合の前に中央のＰＮ６３を変換するための乗算器を含む。図１８に示す実施形態はピーク検出を行うことに留意すべきである。突出したピークがｙ１かｙ２のどちらかに現れている場合は、ＡＴＳＣ  ＤＴＶ信号が使用中と推定される。
【００４９】
ＰＮ６３にマッチするＡＴＳＣ信号検出器の代替の実施形態を図１９に示す。この実施形態は、マッチドフィルタ７１０の出力信号がまず信号の２乗の大きさを計算するコンポーネント７３０に入力されること以外は、図１８に示されているものと同様である。これは非コヒーレントを組み合わせる手法の実施例である。図１８の場合と同様に、図１９の実施形態はピーク検出を行う。加算器７３５は、出力信号ｙ３を提供するために遅延線７１５の様々な要素を組み合わせる。突出したピークがｙ３に現れている場合、ＡＴＳＣ  ＤＴＶ信号が使用中と推定される。搬送波オフセットが比較的大きい場合、図１９の非コヒーレントを組み合わせる手法は、コヒーレントを組み合わせる手法より適切であることに留意すべきである。さらに、コンポーネント７３０は信号の大きさを単に判定することができることにも留意すべきである。
【００５０】
さらに追加の変形の実施形態を図２０および２１に示す。これらの例示的な実施形態においては、ＰＮ５１１およびＰＮ６３シーケンスは、ＡＴＳＣ信号検出のためにともに使用される。まず図２０に示されている実施形態を参照すると、信号ｙ１およびｙ２は、ＰＮ６３シーケンスを検出するための図１８の実施形態に関して前述したように生成される。さらに、（ＰＮ５１１にマッチする）マッチドフィルタ５０５からの出力は、３つのＰＮ６３シーケンスのための時間間隔に関するデータを格納する遅延線７７０に入力される。図２０の実施形態はピーク検出を行う。突出したピークが（それぞれ加算器７６０および７６５によって提供された）ｚ１かｚ２のどちらかに現れている場合、ＡＴＳＣ  ＤＴＶ信号が使用中と推定される。
【００５１】
図２１を参照すると、図２１の実施形態も、図１９に示すように、ＰＮ５１１シーケンスの検出結果をＰＮ６３シーケンスの検出結果と組み合わせる。この実施形態のおいては、マッチドフィルタ５０５の出力信号はまず、信号の２乗の大きさを計算するコンポーネント７８０に入力される。これは、他の非コヒーレントを組み合わせる手法の実施例である。図２０の場合と同様に、図２１の実施形態はピーク検出を行う。加算器７８５は、出力信号ｚ３を供給するため、遅延線７７０の様々な要素を出力信号ｙ３と組み合わせる。突出したピークがｚ３に現れている場合、ＡＴＳＣ  ＤＴＶ信号が使用中と推定される。さらに、コンポーネント７８０は信号の大きさを単に判定することができることに留意すべきである。
【００５２】
上記に対する他の変形の実施形態も可能である。例えば、ＰＮ６３およびＰＮ５１１マッチドフィルタは、必要とされる追加の遅延線の量を低減すべくそれらの固有の遅延線構造を利用するため、カスケードすることができる。他の実施形態においては、単一のＰＮ６３マッチドフィルタ足す遅延線ではなく、３つのＰＮ６３マッチドフィルタを利用することができる。これは、ＰＮ５１１マッチドフィルタを使用し、または使用せずに行うことができる。
【００５３】
上記のように、ＷＲＡＮは、ＴＶ放送などの使用中の既存の信号帯に干渉しないことが必要である。したがって、ＷＲＡＮエンドポイントは、既存のＴＶ信号が存在しないチャンネルを使用する。しかし、チャンネルにＴＶ信号がなくても−ＴＶ信号は隣接するチャンネル上に存在する可能性がある。したがって、ＷＲＡＮエンドポイントからの送信信号は、それでもなお、非線形効果（例えば、混変調積）を導入することにより隣接するＴＶ信号に干渉する可能性がある。ここで、無線エンドポイントは、隣接するチャンネルのＴＶ放送に干渉するのを回避するために送信電力制御（ＴＰＣ）を行う。特に、本発明の原理によって、無線エンドポイントは、チャンネルで信号を送信し、隣接するチャンネルでの信号の検出時に、送信される信号の電力レベルを調節する。
【００５４】
本発明の原理による例示的なフローチャートを図２２に示す。ステップ６０５で、ＣＰＥ２５０は、送信のために使用するチャンネルを決定する。ＣＰＥ２５０は、どのチャンネルを使用するか決定するため、前述の利用可能なチャンネルリストからチャンネルを選択するか、それともＢＳ２０５と交渉することができる。送信のためのチャンネルが選択された後、ＣＰＥ２５０は、ステップ６１０で、既存の信号帯が隣接するチャンネル上に（現在選択されている送信チャンネルの上か下のどちらかに）使用中かどうか判定する。ＣＰＥ２５０は、既存の信号帯が隣接するチャンネルに存在するかどうか、いくつものやり方で判定することができる。例えば、ＣＰＥ２５０は、利用可能なチャンネルのリストを単にチェックすることができる。隣接するチャンネルが利用可能であると表示された場合、ＣＰＥ２５０は、隣接するチャンネルに既存の信号帯はないと推定することができる。しかし、隣接するチャンネルがいずれも利用可能であると表示されない場合、ＣＰＥ２５０は、隣接するチャンネルに既存の信号帯が使用中と推定することができる。またはこれに代えて、ＣＰＥ２５０が隣接するチャンネルでチャンネルセンシングを行うようにすることができる。
【００５５】
ステップ６１０で、既存の信号帯が隣接するチャンネルで使用中と判定された場合、ＣＰＥ２５０は、ステップ６１５で、その送信する信号の電力レベルを低減する。例えば、ＴＶ放送のＤ／Ｕ（所望対妨害）信号電力比が２０ｄＢ（デシベル）である場合、隣接するＴＶ放送の検出時に、ＷＲＡＮエンドポイントはその送信電力を２０ｄＢだけ低減する。図２３を簡単に参照すると、トランシーバ２８５での使用のためのＯＦＤＭ変調器６５０の例示的な実施形態が示されている。本発明の原理によれば、ＯＦＤＭ変調器６５０は、データ担持信号を表す信号６４９を受信し、選択された送信チャンネル上での放送のため、このデータ担持信号を変調する。結果としてのＯＦＤＭ信号６５１の送信電力レベルは、例えば図４のプロセッサ２９５からの信号６４８によって制御される。
【００５６】
さらに、図２２は、本発明の概念に関係する送信電力制御の部分のみを示しているだけであることに留意すべきである。ＣＰＥ２５０が隣接する既存の信号帯の信号を検出しないからといって、ＣＰＥ２５０が他の手法による送信電力制御を行わないということは必ずしもない。例えば、ＢＳおよびＣＰＥは、経路損失、リンクマージン推定値、チャンネル測定結果、送信電力抑制など、いかなる基準に基づいてでも送信電力を動的に適応させることができる。
【００５７】
さらに、ＢＳはＣＰＥに送信電力およびリンクマージン情報を報告するように要求してもよい。これは図２４のメッセージのフローチャートに例示されている。ＢＳ２０５は、ＴＰＣ要求６８１をＣＰＥ２５０に送信する。ＣＰＥ２５０はＴＰＣ報告６８２で応答する。ＴＰＣ報告での使用のためのいくつかの例示的な情報要素を図２５に示す。ＴＰＣ報告６８２は、２つの情報要素（ＩＥ）、すなわち送信電力ＩＥ６８７および推定リンクマージンＩＥ６８６を含む。したがって、ＣＰＥ２５０からの送信信号の電力レベルおよび推定リンクマージンは、別の無線エンドポイントに送信される。同様に、ＣＰＥは、ＢＳに送信電力およびリンクマージン情報を報告するように要求するためＴＰＣ要求メッセージを使用してもよい。これは、図２６のメッセージのフローチャートに例示している。ＣＰＥ２５０は、ＴＰＣ要求６９１をＢＳ２０５に送信する。ＢＳ２０５は、ＴＰＣ報告６９２で応答する。さらに、ＢＳは、チャンネル環境の変化に応じてＣＰＥの最大許容送信電力を変更するため制御メッセージ（図示せず）をＣＰＥに出してもよい。
【００５８】
（前述のＴＰＣ要求およびＴＰＣ報告などの）ＢＳ２０５と、ＣＰＥ２５０との間の情報を通信で使用するための例示的なフレーム１００を図２７に示す。本発明にかかわらず、フレーム１００は、非特許文献３に記載されているようなＯＦＤＭフレームと同様である。フレーム１００は、同じ周波数帯域がアップリンク（ＵＬ）およびダウンリンク（ＤＬ）送信のために使用される時分割複信（ＴＤＤ）システムのものを表している。本明細書では、アップリンクは、ＣＰＥ２５０からＢＳ２０５への通信を指し、ダウンリンクは、ＢＳ２０５からＣＰＥ２５０への通信を指す。各フレームは、２つのサブフレーム、すなわちＤＬサブフレーム１０１およびＵＬサブフレーム１０２を含む。各フレームには、ＢＳ２０５が折り返す（すなわち、送信から受信に、および逆に切り替わる）ことができるようにするため時間間隔が含まれている。これらは、図２７では、ＲＴＧ（受信／送信遷移ギャップ）間隔およびＴＴＧ（送信／受信遷移ギャップ）間隔として示されている。各サブフレームはいくつかのバーストでデータを搬送する。フレーム、ならびにＤＬサブフレーム内のＤＬバーストの数およびＵＬサブフレーム内のＵＬバーストの数についての情報は、フレーム制御ヘッダ（ＦＣＨ）７７、ＤＬ  ＭＡＰ７８、およびＵＬ  ＭＡＰ７９で搬送される。各フレームはまた、フレーム同期化および等化を行なうためのプリアンブル７６を含む。
【００５９】
前述のように、ＷＲＡＮシステムの性能は、無線エンドポイントが隣接するチャンネル上での既存の信号帯の信号の検出時に、その送信電力レベルを低減するような送信電力制御機構を使用することにより向上させることができる。本発明の概念は、図４のＣＰＥ２５０の文脈で説明されたが、本発明は、そのように限定されず、例えばＢＳ２０５にも適用されることに留意すべきである。さらに、チャンネルセンシングは、図５から８に例示されている技法にそって説明したが、本発明の概念はまた、そのように限定されない。チャンネルセンシングの他の形態が使用することができる。例えば、ＣＰＥ２５０での使用のための受信機８０５の例示的な部分を図２８に（例えば、トランシーバ２８５の一部分として）示す。本発明の概念に関連する受信機８０５は必要な部分だけを示している。受信機８０５は、チューナ８１０、信号検出器８１５、およびコントローラ８２５を備える。コントローラ８２５は、１つまたは複数の内蔵プログラム制御プロセッサ、例えばマイクロプロセッサ（プロセッサ２９０など）を示しており、これらは本発明専用でなくてもよく、例えばコントローラ８２５は、受信機８０５の他の機能を制御することもできる。さらに、受信機８０５は、メモリ（メモリ２９５など）、例えばランダムアクセスメモリ（ＲＡＭ）、読出し専用メモリ（ＲＯＭ）などを備え、それらはコントローラ８２５の一部分でもよく、またはそれとは別個のものでもよい。簡単のために、図２８には、オートゲインコントロール（ＡＧＣ）コンポーネント、処理がデジタルの場合はアナログデジタルコンバータ（ＡＤＣ）、および追加のフィルタリングなど、いくつかのコンポーネントは示していない。本発明にかかわらず、これらの要素は当業者には容易に明らかであろう。ここで、本明細書に記載の諸実施形態は、アナログでも、またはデジタルでも実施することができる。さらに、処理には、必要に応じて複素信号パスを必要とする場合があることも当業者は理解するであろう。チャンネルセンシングの説明に沿って、チューナ８１０は、特定のＴＶチャンネルを選択するため、双方向信号パス８２６を介してコントローラ８２５によって様々なチャンネルにチューニングされる。選択されたチャンネルごとに、入力信号８０４が存在する可能性がある。入力信号８０４は、前述の「ＡＴＳＣデジタルテレビジョン規格」によるデジタルＶＳＢ変調信号などの既存の広帯域信号、ＮＴＳＣ  ＴＶ信号、または既存の狭帯域信号を表してもよい。選択されたチャンネルに既存の信号帯の信号がある場合、チューナ８１０は、信号８０６が広帯域既存の信号帯の信号か狭帯域既存の信号帯の信号か判定するために信号８０６を処理する信号検出器８１５に、下方変換された信号８０６を供給する。信号検出器８１５は、パス８１６を介してコントローラ８２５に結果の情報を提供する。したがって、本発明の概念は、隣接するチャンネルに使用中の可能性がある広帯域（例えばＮＴＳＣ）または狭帯域のいかなる信号の検索にも適用される。ここで、送信電力レベルは、図２２のステップ６１５で、隣接する既存の信号帯の信号のタイプに応じて様々な量だけ調整することができる。
【００６０】
上記を考慮して、前述の説明は本発明の原理を例示するだけであり、したがって、当業者は、本明細書に明示的に記載されていなくても、本発明の原理を実施し本発明の趣旨と範囲の中にある多くの代替の実施形態を考案することができるであろうことが、理解されるであろう。例えば、これらの機能要素は、別個の機能要素の説明に沿って例示されているが、１つまたは複数の集積回路（ＩＣ）で実施することができる。同様に、これらの要素のうちのいずれかまたは全ては、別個の要素として示されているが、関連ソフトウェア、例えば図２２などに示されているステップの１つまたは複数のステップに対応するソフトウェアを実行する内蔵プログラム制御プロセッサ、例えばデジタル信号プロセッサで実行することができる。さらに、本発明の原理は、他のタイプの通信システム、例えば、衛星、ワイヤレスフィデリティ（Ｗｉ−Ｆｉ）、セルラなどに適用可能である。実際、本発明の概念はまた、固定受信機または移動受信機に適用可能である。したがって、例示的な実施形態に対して多くの変更を行ってもよく、特許請求の範囲によって規定された本発明の趣旨および範囲から逸脱することなく他の構成が考案することができることが理解される。
【図面の簡単な説明】
【００６１】
【図１】テレビジョン（ＴＶ）チャンネルを記載している表１を示す図である。
【図２】受信されたＡＴＳＣ信号の様々な条件下での周波数オフセットを記載している表２を示す図である。
【図３】受信されたＡＴＳＣ信号の様々な条件下での周波数オフセットを記載している表３を示す図である。
【図４】本発明の原理による例示的なＷＲＡＮシステムを示す図である。
【図５】本発明の原理による図４のＷＲＡＮシステムでの使用のための例示的な受信機を示す図である。
【図６】本発明の原理による図４のＷＲＡＮシステムでの使用のための例示的なフローチャートである。
【図７】図５の例示的なチューナ３０５を示す図である。
【図８】図５の例示的な搬送波トラッキングループ３１５を示す図である。
【図９】ＡＴＳＣ  ＤＴＶ信号のフォーマットを示す図である。
【図１０】ＡＴＳＣ  ＤＴＶ信号のフォーマットを示す図である。
【図１１】ＡＴＳＣ信号検出器の一実施形態を示す図である。
【図１２】ＡＴＳＣ信号検出器の一実施形態を示す図である。
【図１３】ＡＴＳＣ信号検出器の一実施形態を示す図である。
【図１４】ＡＴＳＣ信号検出器の一実施形態を示す図である。
【図１５】ＡＴＳＣ信号検出器の一実施形態を示す図である。
【図１６】ＡＴＳＣ信号検出器の一実施形態を示す図である。
【図１７】ＡＴＳＣ信号検出器の一実施形態を示す図である。
【図１８】ＡＴＳＣ信号検出器の一実施形態を示す図である。
【図１９】ＡＴＳＣ信号検出器の一実施形態を示す図である。
【図２０】ＡＴＳＣ信号検出器の一実施形態を示す図である。
【図２１】ＡＴＳＣ信号検出器の一実施形態を示す図である。
【図２２】本発明の原理による図４のＷＲＡＮシステムでの使用のための例示的なフローチャートである。
【図２３】本発明の原理による例示的なＯＦＤＭ変調器を示す図である。
【図２４】図４のＷＲＡＮシステムでの使用のための例示的なメッセージの流れを示す図である。
【図２５】図４のＷＲＡＮシステムでの使用のための例示的なＴＰＣ報告を示す図である。
【図２６】図４のＷＲＡＮシステムでの使用のための他の例示的なメッセージの流れを示す図である。
【図２７】図４のＷＲＡＮシステムでの使用のための例示的なＯＦＤＭＡフレームを示す図である。
【図２８】本発明の原理による図４のＷＲＡＮシステムでの使用のための他の例示的な受信機を示す図である。
【図１】
2009515481.tif 000014
【図２】
2009515481.tif 000015
【図３】
2009515481.tif 000016
【図４】
2009515481.tif 000017
【図５】
2009515481.tif 000018
【図６】
2009515481.tif 000019
【図７】
2009515481.tif 000020
【図８】
2009515481.tif 000021
【図９】
2009515481.tif 000022
【図１０】
2009515481.tif 000023
【図１１】
2009515481.tif 000024
【図１２】
2009515481.tif 000025
【図１３】
2009515481.tif 000026
【図１４】
2009515481.tif 000027
【図１５】
2009515481.tif 000028
【図１６】
2009515481.tif 000029
【図１７】
2009515481.tif 000030
【図１８】
2009515481.tif 000031
【図１９】
2009515481.tif 000032
【図２０】
2009515481.tif 000033
【図２１】
2009515481.tif 000034
【図２２】
2009515481.tif 000035
【図２３】
2009515481.tif 000036
【図２４】
2009515481.tif 000037
【図２５】
2009515481.tif 000038
【図２６】
2009515481.tif 000039
【図２７】
2009515481.tif 000040
【図２８】
2009515481.tif 000041
【国際調査報告】
2009515481.tif 000042
2009515481.tif 000043
2009515481.tif 000044